(57)【特許請求の範囲】
【請求項１】
伸縮自在な門扉を吊元柱と戸当り柱との間に配置し、吊元柱と戸当り柱との間の開口部を伸縮によって開閉するとともに、上記門扉を構成するほぼ中間の縦桟の下部の左右両側にキャスター、中央に転倒防止金具をそれぞれ取り付けるとともに、門扉の設置面には門扉を伸長状態にしたときに上記転倒防止金具に係合する金具受けを取り付けた伸縮門扉において、上記転倒防止金具には上記縦桟の下部の左右両側に配置されたキャスターの戸車
シャフトに係合する取付片を形成し、上記取付片の先端には戸車シャフトの幅と等しい間隔となるように、門扉の伸縮方向に開口する係合溝を形成し、上記取付片をスライドさせて上記係合溝に戸車シャフトを係合させ、戸車シャフトに設けたナットにより、転倒防止金具を直接に戸車シャフトに固定したことを特徴とする伸縮門扉における転倒防止金具の取付構造。
【発明の詳細な説明】
【０００１】
【発明の属する技術分野】
本発明は、伸縮自在な門扉を吊元柱と戸当り柱との間に配置し、伸縮によって開閉する伸縮門扉において、伸長して上記両柱間の開口部を閉止した状態の門扉が横に転倒するのを防止する転倒防止金具を門扉に取り付けるための取付構造に関する。
【０００２】
【従来技術】
この種の伸縮門扉は、伸縮によって門柱間の開口部を開閉するものであるが、全体の剛性が比較的小さいので、門柱間の開口部を閉止した状態では、強い横風を受けたり不測の外力を受けたりすると、伸長状態の門扉は倒れてしまうという危険がある。そこで、門扉のほぼ中間から下方に転倒防止金具を取り付けるとともに、門扉の設置面には受け金具を固定しておき、門扉を伸長状態にしたときに上記転倒防止金具が受け金具に係合するようにした転倒防止機構が設けられている。
【０００３】
【発明が解決しようとする課題】
しかしながら、従来の転倒防止金具は、例えば登録第２５９８５３２号に係る実用新案登録公報に示されているように、軸体の先端に係合片を形成したもので、上記軸体は門扉を構成する複数の縦桟のうち中間の縦桟に固定していた。このため、縦桟に軸体を挿通するための挿通孔を形成したり、軸体が回転しないように固定するための部材を設けたりしなければならず、取付構造が複雑で、作業も面倒であった。
【０００４】
本発明は上記欠点を解消し、特に転倒防止金具を確実に取り付けることができ、しかも構造が簡単で、取り付け取り外しも容易な伸縮門扉における転倒防止金具の取付構造を提供することをその課題とする。
【０００５】
【課題を解決するための手段】
前記課題を解決するため、本発明に係る伸縮門扉における転倒防止金具の取付構造は、伸縮自在な門扉を吊元柱と戸当り柱との間に配置し、吊元柱と戸当り柱との間の開口部を伸縮によって開閉するとともに、上記門扉を構成するほぼ中間の縦桟の下部の左右両側にキャスター、中央に転倒防止金具をそれぞれ取り付けるとともに、門扉の設置面には門扉を伸長状態にしたときに上記転倒防止金具に係合する金具受けを取り付けた伸縮門扉において、上記転倒防止金具には上記縦桟の下部の左右両側に配置されたキャスターの戸車シャフトに係合する取付片を形成し、上記取付片の先端には戸車シャフトの幅と等しい間隔となるように、門扉の伸縮方向に開口する係合溝を形成し、上記取付片をスライドさせて上記係合溝に戸車シャフトを係合させ、戸車シャフトに設けたナットにより、転倒防止金具を直接に戸車シャフトに固定したことを特徴とする。
【０００６】
【発明の実施の形態】
図１は本発明に係る伸縮門扉を示すもので、伸縮自在な門扉１を吊元柱２と戸当り柱３との間に配置し、図２に示すように吊元柱２と戸当り柱３との間の開口部を門扉１を伸縮させて開閉するとともに、上記門扉１の一端に設けられた吊元框４を吊元柱２のまわりに旋回（水平方向に回転）させて開閉できるように連結したものである。
【０００７】
上記門扉１は、両端の吊元框４と戸当り框５との間に複数の縦桟６を配し、これらの框４、５と縦桟６を細長枠状に形成するとともに、内側の開口部にパンタグラフ状に組んだ複数のリンク７を配置し、方向の異なるリンク７の交わり部を回動軸８によって連結し、回動軸８は上下の列に対応するものを１列おきに、その両端部を図３に示すように上記吊元框４と戸当り框５と縦桟６の長手方向に沿って形成された案内溝９にスライド自在に係合させたものである。ただし、中央の回動軸８ａは吊元框４と戸当り框５と縦桟６に固定され、スライドしないように構成されている。これにより、門扉１は、上記固定軸８ａを除く回動軸８が吊元框４と戸当り框５と縦桟６の案内溝９に沿って上下方向にスライドしながら伸縮する。
【０００８】
なお、戸当り框５にはハンドル１０と連動する錠１１ａが設けられ、戸当り柱３には、上記錠１１ａに係止するための杆状の錠受け１１ｂが設けられている。
【０００９】
次に、門扉１の戸当り框５と中間の縦桟６の下部には左右１対のキャスター１２が取り付けられ、上記中間の縦桟６には転倒防止金具１３が取り付けられ、設置面Ｇには門扉１の閉じ移動端で上記転倒防止金具１３に係合する金具受け１４が配置されている。
【００１０】
上記キャスター１２の戸車シャフト１２ａは縦桟６の下部両側方に突出した軸受金具１５に回転自在に支持されている。
【００１１】
転倒防止金具１３は、図４及び図５に示されるように、垂直部と水平部をから成る上下各１対のＬ形材１６、１７から構成されている。下部Ｌ形材１７の垂直片１７ａの間には上部Ｌ形材１６の垂直片１６ａが重合配置され、下部Ｌ形材１７の垂直片１７ａに形成された長孔１８から上部Ｌ形材１６の垂直片１６ａを貫通させたボルト１９、ナット２０により一体に固定され、これによって転倒防止金具１３が形成されている。上部Ｌ形材１６の水平の取付片１６ｂの先端はさらに斜めに屈曲し、この屈曲部の先端には係合溝２１が形成されている。両側の係合溝２１間の間隔は両側のキャスター１２の戸車シャフト１２ａの間の間隔と略等しくなるように形成され、各係合溝２１の大きさはキャスター１２の戸車シャフト１２ａの軸径よりもやや大きくなるように設定されている。
【００１２】
下部Ｌ形材１７の下端には水平の係止片２２が屈曲形成され、両Ｌ形材１７の係止片２２が左右に張り出している。また、転倒防止金具１３の高さは、上記長孔１８により取付片１６ｂがキャスター１２の戸車シャフト１２ａの上端に係合した状態で係止片２２が設置面よりやや高くなるように調整されている。
【００１３】
上記転倒防止金具１３は、上記取付片１６ｂを上記戸車シャフト１２ａに対して戸当り柱３側からスライドさせて上記係合溝２１に上記戸車シャフト１２ａを係合し、ナット２３で上記縦桟６の両側の軸受部２４に固定されている。
【００１４】
次に、金具受け１４は左右１対の受け金具部材１４ａ、１４ｂを対向配置して設置面Ｇにボルト２６により固定することにより構成されている。各受け金具部材１４ａ、１４ｂの間にあり溝状の係合溝２５が形成されている。この係合溝２５は門扉１の転倒防止金具１３の下部係止片２２の移動軌跡上に設けられている。
【００１５】
上記構成において、柱間の開口部を閉じるために門扉１を伸長させると、戸当り框５が戸当り柱３に接近するに伴い、中間の縦桟６のキャスター１２の間の転倒防止金具１３が金具受け１４に接近し、上記開口部を閉止したとき転倒防止金具１３の下部係止片２２は金具受け１４の係合溝２５に係合する。ハンドル１０を回して錠１１ａを戸当り柱３の錠受け１１ｂに係止させることにより柱間開口部は閉止される。この状態で、門扉１が強い横風を受けたり、横から何らかの外力を受けたりしても、門扉１は転倒防止金具１３と金具受け１４との係合により持ち上げられることがなく、左右両側のキャスター１２で支持されるから、転倒は有効に防止される。
【００１６】
【発明の効果】
請求項１に係る発明によれば、転倒防止金具は、その取付片を戸車シャフトに対して戸当り柱側からスライドさせて取付片の係合溝に上記戸車シャフトを係合してナットで直接に固定するものであるから、門扉１を伸長移動させたときにたとえ設置面の受け金具に接触することがあっても、戸車シャフトから外れることがない。しかも、転倒防止金具を取り付けるために、縦桟に特別の加工を施したり、特別の部材を設けたりする必要がなく、構造が簡単で取り付け作業も非常に容易である。また、取付片の係合溝を門扉の伸縮方向にスライドして戸車シャフトに係合するので、係合作業が容易である。しかも、取付片をスライドさせて上記係合溝に戸車シャフトを係合させて転倒防止金具を仮固定しておき、ナットにより転倒防止金具を戸車シャフトに直接に固定することができるので、取り付け、取り外しが容易である。
【図面の簡単な説明】
【図１】伸縮門扉の斜視図
【図２】門扉の開閉状態説明図
【図３】框及び縦桟の横断面図
【図４】転倒防止金具の取付状態の斜視図
【図５】転倒防止金具と縦桟の分解斜視図
【符号の説明】
１  門扉
１２  キャスター
１２ａ  戸車シャフト
１３  転倒防止金具
２１  係合溝
【図１】
0003607847.tif 000002
【図２】
0003607847.tif 000003
【図３】
0003607847.tif 000004
【図４】
0003607847.tif 000005
【図５】
0003607847.tif 000006